(57)【要約】【課題】蓋体を通して見える化粧料表面の色模様が、目線の角度を変えたり蓋体をずらしたりすることによってその都度変化する、斬新でアイキャッチ効果に優れた化粧料容器を提供する。【解決手段】化粧料２０が収容された容器本体１０と、上記容器本体１０の化粧料用凹部１３内に収容された化粧料２０の上面を蓋する蓋体１１とを備え、上記化粧料２０が、これを収容する凹部底面に対し垂直な境界面を介して隣り合う、色の異なる複数の化粧料片１４〜１６からなり、それによって化粧料２０の表面に色模様が形成されており、上記蓋体１１には、上記色模様を、特定の配置で断続的に見せるための透明領域２１が設けられている。【選択図】図２
2015188627.tif 000002
【特許請求の範囲】
【請求項１】
上面凹部内に化粧料が収容された容器本体と、上記容器本体に収容された化粧料の上面に対し隙間をあけた状態でこの容器本体の上面を蓋する蓋体とを備え、上記容器本体に収容された化粧料が、これを収容する凹部底面に対し垂直な境界面を介して隣り合う、色の異なる複数の化粧料片からなり、それによって化粧料表面に色模様が形成されており、上記蓋体には、上記化粧料表面の色模様を、特定の配置で断続的に見せるための透明領域が設けられており、上記蓋体表面に対する目線の角度が段階的に変化した状態、もしくは上記蓋体が容器本体の上面から段階的にスライド移動した状態において、上記蓋体の透明領域から見える化粧料表面の色模様が、規則的に変化して見えるようになっていることを特徴とする化粧料容器。
【請求項２】
上記複数の化粧料片によって形成された化粧料表面の色模様が、蓋体表面に対する目線の角度をｎ段階で変化させるか、上記蓋体を、容器本体の上面からｎ段階でスライド幅を変化させてスライド移動させたときの、上記蓋体の透明領域を通して見えるｎ通りの模様パターンを同一面に重ねて配置した模様であり、上記各模様パターンが、上記蓋体の透明領域を通して順次視認されることにより、色模様が規則的に変化して見えるようになっている請求項１記載の化粧料容器。
【請求項３】
上記色模様の規則的な変化が、２〜８種類の模様パターンの組み合わせによるものである請求項１または２記載の化粧料容器。
【請求項４】
上記蓋体の透明領域が形成された面と、容器本体に収容された化粧料の表面との垂直距離が、０．１〜２０．０ｍｍに設定されている請求項１〜３のいずれか一項に記載の化粧料容器。
【発明の詳細な説明】
【技術分野】
【０００１】
本発明は、容器に対する目線の角度を変えたり容器の蓋体を開閉したりすることによって、蓋体を通して見える化粧料表面の色模様が変化する、斬新な化粧料容器に関するものである。
【背景技術】
【０００２】
従来、化粧料を収容した化粧料容器として、多種多様なデザインのものが知られている。そして、最近では、容器デザインだけでなく、中味として収容されている化粧料自体にも、凹凸模様や色模様を付与して、アイキャッチ効果を高めたものが多く出回っている。なかでも、単一の化粧料収容凹部内や金皿内に、色の異なる複数の化粧料を少量ずつ個別に賦形して詰め合わせたもの（特許文献１、２を参照）や、色の異なる複数の化粧料を特殊な方法で充填して互いに仕切りを介さずに圧縮成型したもの（特許文献３）は、金太郎飴のように、厚み方向に同じ色模様が連続的に形成されており、使用により化粧料がすり減ってもその色模様が崩れないため、使用する色数の多いメイクアップ化粧料等において賞用されている。
【０００３】
このような化粧料の一例を、図１９（ａ）に模式的に示す。この化粧料は、金皿１の内側に、色の異なる５種類の化粧料２〜６が、互いに仕切りを介することなく直接接した状態で収容されており、その表面において、化粧料２〜６の色の組み合わせによって色模様が形成されている。そして、その断面は、図１９（ｂ）に示すように、色の異なる化粧料２〜６が、互いに、垂直な境界面を介して隣り合った構成になっており、厚み方向に同じ色模様が連続的に形成されている。
【先行技術文献】
【特許文献】
【０００４】
【特許文献１】特公平６−１０４６１２号公報
【特許文献２】特開２０１０−６３９５号公報
【特許文献３】特許第３５３８６４５号公報
【発明の概要】
【発明が解決しようとする課題】
【０００５】
上記化粧料２〜６による色模様は、確かに美麗な印象を与えるが、それ以上のものではなく、すぐに飽きられてしまうおそれがある。
【０００６】
ところで、最近、仕掛け絵本や仕掛けカードとして、絵本のページをめくったりカードの一部を引っ張ったりする動作に伴って、そのページやカードに設けられた切欠き部から見える内側の図柄が変化して、模様の色が変わったり、図柄が変化してあたかも動いたように見えるものが出回っており、人気を博している。
【０００７】
このような色の変化や図柄の動きを、化粧料容器においても見せることができれば、顧客に、より強い印象を与えることができ、さらなる需要を見込むことができる、と思われるが、そのようなものは、未だ実用化されていないのが実情である。
【０００８】
本発明は、このような事情に鑑みなされたもので、蓋体を通して見える化粧料表面の色模様が、目線の角度を変えたり蓋体をずらしたりすることによってその都度変化する、斬新でアイキャッチ効果に優れた化粧料容器の提供を、その目的とする。
【課題を解決するための手段】
【０００９】
上記の目的を達成するため、本発明は、上面凹部内に化粧料が収容された容器本体と、上記容器本体に収容された化粧料の上面に対し隙間をあけた状態でこの容器本体の上面を蓋する蓋体とを備え、上記容器本体に収容された化粧料が、これを収容する凹部底面に対し垂直な境界面を介して隣り合う、色の異なる複数の化粧料片からなり、それによって化粧料表面に色模様が形成されており、上記蓋体には、上記化粧料表面の色模様を、特定の配置で断続的に見せるための透明領域が設けられており、上記蓋体表面に対する目線の角度が段階的に変化した状態、もしくは上記蓋体が容器本体の上面から段階的にスライド移動した状態において、上記蓋体の透明領域から見える化粧料表面の色模様が、規則的に変化して見えるようになっている化粧料容器を第１の要旨とする。
【００１０】
また、本発明は、そのなかでも、特に、上記複数の化粧料片によって形成された化粧料表面の色模様が、蓋体表面に対する目線の角度をｎ段階で変化させるか、上記蓋体を、容器本体の上面からｎ段階でスライド幅を変化させてスライド移動させたときの、上記蓋体の透明領域を通して見えるｎ通りの模様パターンを同一面に重ねて配置した模様であり、上記各模様パターンが、上記蓋体の透明領域を通して順次視認されることにより、色模様が規則的に変化して見えるようになっている化粧料容器を第２の要旨とする。
【００１１】
さらに、本発明は、それらのなかでも、特に、上記色模様の規則的な変化が、２〜８種類の模様パターンの組み合わせによるものである化粧料容器を第３の要旨とし、上記蓋体の透明領域が形成された面と、容器本体に収容された化粧料の表面との垂直距離が、０．１〜２０．０ｍｍに設定されている化粧料容器を第４の要旨とする。
【００１２】
なお、本発明において、「色模様が規則的に変化する」とは、透明領域から見える化粧料表面の色模様が、目線の角度や蓋体のスライド移動によって、その見え方が変化して、二通り以上の異なる印象を与えるよう設定されていることをいい、印象の変化は、透明領域から見える色模様における色の変化や形の変化だけでなく、見えていたものが消失したかのような印象、あるいは見えていなかったものが突然現出したかのような印象を与える場合を含む趣旨である。
【発明の効果】
【００１３】
すなわち、本発明の化粧料容器は、従来の仕掛け絵本や仕掛けカードに用いられてきた原理を、立体的な化粧料容器に適用したもので、容器本体に収容された化粧料自身によって色模様を形成し、この色模様を、蓋体側に設けた特定の透明領域を通して、限定して見せることにより、蓋体を見る角度の変化や、蓋体の開閉時における色模様と透明領域の位置関係の変化によって、色模様が変化して見えるようにしたものである。
【００１４】
特に、本発明では、上記色模様を構成する化粧料が、互いに垂直な境界面を介して隣り合った状態で容器本体に収容されており、あたかも金太郎飴のように、どの深さにおいても連続的に、表面と同様の色模様が形成されているため、使用により化粧料がすり減っても、化粧料表面に表れている色模様自体は変化せず、化粧料容器を見る角度や蓋体の開閉時に見える色模様の変化が、そのまま保たれるようになっている。したがって、化粧料容器を手で取り上げる際や、蓋体を開閉して化粧をする際、その都度色模様の変化を楽しむことができ、興趣に富むものとなる。
【００１５】
また、上記構成の化粧料容器のうち、蓋体に対する目線の角度を変えるだけで、容器内側の色模様が変化するよう設定されたものは、人が容器を直接手にとらなくても、人が化粧料容器のそばを移動するだけで、蓋体の透明領域を通して見える容器内の色模様が変化するため、例えば、この化粧料容器を複数個、店頭において、蓋体に対する目線が変化する方向と、化粧料容器の並ぶ方向とが一致するような配置で通路沿いに並べて陳列しておけば、そばを通る顧客が、化粧料容器に対する目線の角度をつぎつぎと変えながら化粧料容器を見ることになるため、陳列された化粧料容器の模様がつぎつぎと変化して見え、高いアイキャッチ効果を奏する。
【００１６】
そして、本発明のなかでも、特に、上記化粧料容器内の色模様が、蓋体表面に対する目線の角度をｎ段階で変化させるか、上記蓋体を、容器本体の上面からｎ段階でスライド幅を変化させてスライド移動させたときの、上記蓋体の透明領域を通して見えるｎ通りの模様パターンを同一面に重ねて配置した模様であり、上記各模様パターンが、上記蓋体の透明領域を通して順次視認されることにより、色模様が規則的に変化して見えるようになっているものである場合は、蓋体の透明領域を通して見える色模様が、ｎ通りに規則的に変化して見えるため、とりわけ優れたアイキャッチ効果を得ることができる。
【００１７】
また、本発明のなかでも、特に、上記色模様の規則的な変化が、２〜８種類の模様パターンの組み合わせによるものである場合には、色模様の変化を明確に把握することができ、強い印象を与えることができるという利点を有する。
【００１８】
さらに、本発明のなかでも、特に、上記蓋体の透明領域が形成された面と、容器本体に収容された化粧料の表面との垂直距離が、０．１〜２０．０ｍｍに設定されているものは、蓋体の透明領域を通して、化粧料の色模様の変化を効果的に見せることができ、好適である。
【図面の簡単な説明】
【００１９】
【図１】（ａ）は本発明の一実施の形態である化粧料容器の、蓋体が閉じた状態を示す斜視図、（ｂ）は上記化粧料容器の、蓋体が途中まで開いた状態を示す斜視図である。
【図２】（ａ）は上記化粧料容器の容器本体に収容された化粧料の説明図、（ｂ）は上記化粧料容器の蓋体の説明図である。
【図３】図１のＡ−Ａ′断面を部分的に示す説明図である。
【図４】（ａ）は色模様の他の例を示す説明図、（ｂ）はその色模様を見せるための透明領域を示す説明図、（ｃ）、（ｄ）は、いずれも上記色模様の変化を示す説明図である。
【図５】（ａ）〜（ｃ）は、いずれも上記色模様の変化を示す説明図である。
【図６】（ａ）は色模様のさらに他の例を示す説明図、（ｂ）はその色模様を見せるための透明領域を示す説明図、（ｃ）、（ｄ）は、いずれも上記色模様の変化を示す説明図である。
【図７】（ａ）〜（ｃ）は、いずれも上記色模様の変化を示す説明図である。
【図８】（ａ）は本発明の他の実施の形態である化粧料容器の、蓋体が閉じた状態を示す斜視図、（ｂ）は上記化粧料容器の、蓋体が途中まで開いた状態を示す斜視図である。
【図９】（ａ）はその実施の形態における色模様の一例を示す説明図、（ｂ）はその色模様を見せるための透明領域の説明図、（ｃ）〜（ｆ）は、いずれも上記色模様の変化を示す説明図である。
【図１０】（ａ）〜（ｃ）は、いずれも上記色模様の変化を示す説明図である。
【図１１】（ａ）は本発明のさらに他の実施の形態における色模様の一例を示す説明図、（ｂ）はその色模様を見せるための透明領域の説明図、（ｃ）は上記色模様の変化を示す説明図である。
【図１２】（ａ）〜（ｄ）は、いずれも上記色模様の変化を示す説明図である。
【図１３】（ａ）は本発明の他の実施の形態における色模様の一例を示す説明図、（ｂ）はその色模様を見せるための透明領域の説明である。
【図１４】（ａ）、（ｂ）は、ともに上記色模様の変化を示す説明図である。
【図１５】（ａ）は本発明のさらに他の実施の形態である化粧料容器の、蓋体が閉じた状態を示す斜視図、（ｂ）は上記化粧料容器の、蓋体が途中まで開いた状態を示す斜視図である。
【図１６】（ａ）はその実施の形態における色模様の一例を示す説明図、（ｂ）はその色模様を見せるための透明領域の説明図、（ｃ）〜（ｅ）は、いずれも上記色模様の変化を示す説明図である。
【図１７】（ａ）〜（ｅ）は、いずれも上記色模様の変化を示す説明図である。
【図１８】（ａ）は本発明のさらに他の実施の形態における色模様の一例を示す説明図、（ｂ）はその色模様を見せるための透明領域の説明図である。
【図１９】（ａ）は従来の、表面に色模様が形成された化粧料の説明図、（ｂ）はそのＸ−Ｘ′断面図である。
【発明を実施するための形態】
【００２０】
つぎに、本発明の一実施の形態について説明する。ただし、本発明は、この実施の形態に限られるものではない。
【００２１】
図１（ａ）は、本発明の一実施の形態である化粧料容器の、蓋体１１が閉じた状態を示す斜視図であり、図１（ｂ）は、蓋体１１が途中まで開いた状態を示す斜視図である。この化粧料容器は、化粧料２０（この例ではフェイスカラー）を収容する略板状の容器本体１０に対し、略板状の蓋体１１がスライド自在に取り付けられた構成になっており、それぞれの左右両側の側壁部に設けられたレール状の係合部（図示せず）によって、矢印Ｐで示すように蓋体１１がスライドにより開閉して、容器本体１０の上面を露出させることができるようになっている。
【００２２】
上記容器本体１０は、透明樹脂成形体からなり、その上面の手前側に、化粧チップ等の化粧用具を収容するための用具用凹部１２が設けられ、同じくその奥側に、化粧料２０を収容するための化粧料用凹部１３が設けられている。
【００２３】
上記化粧料用凹部１３内の化粧料２０は、容器本体１０を上から見た図２（ａ）に示すように、三色（オレンジ、ピンク、クリームイエロー）の化粧料片１４〜１６からなり、これらが、互いに同じ幅で規則正しく並んだ状態で金皿１７内に収容され、その金皿１７が化粧料用凹部１３内に収容されている。その結果、化粧料２０の表面は、上から見ると、三色のきれいな縞模様になっている。
【００２４】
なお、上記三色の化粧料片１４〜１６は、図１（ａ）のＡ−Ａ′断面を部分的に示す図３に示すように、これらを収容する金皿１７の底面１７ａに対し垂直な境界面を介して互いに隣り合う形で収容されている。したがって、上記化粧料用凹部１３内の化粧料２０の表面に形成された縞模様は、化粧料２０が使用されてすり減っても、上から見ればその縞模様がずっと維持されるようになっている。
【００２５】
上記のように、金皿１７内に、三色の、色の異なる化粧料片１４〜１６を、垂直な境界面を介して互いに隣り合う形で収容する方法は、どのような方法であってもよく、例えば、（１）予め三色の、色の異なる化粧料片１４〜１６を、小さな板状に賦形しておき、これを並べて金皿１７内に収容した後、上からプレスして固定する方法や、（２）金皿１７内を塞ぐ大きさの異なる複数の雄型を用意し、この雄型を、大きい方から順次金皿１７内に配置して、一層ずつ化粧料片材料の充填・固化を行う方法等があげられる。また、（３）流動性のある状態で各色の化粧料材料を、上記所定の色模様が形成されるよう仕切られた空間内にそれぞれ充填した後、仕切りを除去して固化する方法を用いることもできる。なかでも、上記（１）の方法が、互いの境界面において形が崩れにくいことから好適である。
【００２６】
一方、上記容器本体１０の上面を蓋する蓋体１１も、透明樹脂成形体からなり、これを上から見た図２（ｂ）に示すように、その上面の略全面に、白色インクを用いたスクリーン印刷によって、白色の着色層１８が形成されている。ただし、この着色層１８は、蓋体１１を閉じた状態で、容器本体１０側に収容された化粧料片１４〜１６のうち、オレンジ色の化粧料片１４と対峙する四つの帯状部分には形成されておらず、その四つの未着色部分が、図示のように、それぞれ左右方向に帯状に延びる透明領域２１になっている。そして、蓋体１１を閉じた状態で、これを上から見ると、各透明領域２１から、容器内側の、オレンジ色の化粧料片１４による縞だけが見えるため、一見、この蓋体１１には、白地にオレンジのストライプが４本入ったデザインが付与されているかのように見える。
【００２７】
そして、上記蓋体１１を、図１（ｂ）に示すように、後方にスライド移動させていくと、上記透明領域２１の下に位置決めされる化粧料片２０の色が、オレンジ（化粧料片１４の色）→クリームイエロー（化粧料片１６の色）→ピンク（化粧料片１５の色）と順次変化していくため、上記「白地にオレンジのストライプ」というデザインにおいて、ストライプの色がつぎつぎと変化する印象となり、興趣に富むものとなる。しかも、手前で引き出された化粧料２０は、その表面が、オレンジ、ピンク、クリームイエローの三色の縞模様になっており、そのときの服装や他のメイクアップ化粧料とのバランス等に合わせて、三色のなかから好ましい色の化粧料２０を選択して使用することができる。
【００２８】
さらに、上記三色の縞模様を構成する三つの化粧料片１４〜１６は、これらを収容する金皿１７の底面１７ａに対し、互いに垂直面を介して隣り合っており、金太郎飴のように、厚み方向に同じ縞模様が連続的に形成されているため、使用により化粧料２０の表面がすり減っても、上記縞模様が崩れることがなく、蓋体１開閉時の色の変化を、その開閉の都度、長く楽しむことができる。
【００２９】
なお、上記化粧料容器は、蓋体１１を閉じた状態のままであっても、その蓋体１１に対する目線を前後に動かすか、化粧料容器を手にとって前後に角度を付けるように動かすと、蓋体１１をスライドさせたときと同じように、蓋体１１の透明領域２１から見える化粧料２０の色が変わり、あたかもストライプ模様のデザインが変化したかのように見えて、興味深いものとなっている。したがって、店頭において、顧客が手にとって見る際に、その色模様の変化を楽しむことができ、アイキャッチ効果が高い。また、人が容器を直接手にとらなくても、人が化粧料容器のそばを移動するだけで、蓋体１１の透明領域２１を通して見える容器内の色模様が変化するため、例えば、この化粧料容器を複数個、店頭において、蓋体１１に対する目線が変化する方向と、化粧料容器の並ぶ方向とが一致するような配置で通路沿いに並べて陳列しておけば、そばを通る顧客が、化粧料容器に対する目線の角度をつぎつぎと変えながら化粧料容器を見ることになるため、陳列された化粧料容器の模様がつぎつぎと変化して見え、高いアイキャッチ効果を奏する。
【００３０】
このように、蓋体１１の開閉動作や目線の角度の変化によって、上記のような視覚的な効果を得るには、化粧料２０の表面における縞模様の各縞の幅〔図２（ａ）においてＷで示す〕と、蓋体１１の透明領域２１の幅〔図２（ｂ）においてＹで示す〕および配置を互いに関連付けて設定することが必要であり、上記の例では、三色の化粧料片１４〜１６による各縞の幅と、透明領域２１の幅を、ともに４ｍｍに設定している。また、透明領域２１の互いのピッチ〔図２（ｂ）においてＺで示す〕は、１２ｍｍに設定している。このピッチＺは、幅４ｍｍの、３種類の色の異なる縞を、蓋体１１開閉時のスライド幅に応じて順次位置決めできるよう考慮したものである。
【００３１】
そして、上記化粧料２０の各縞の幅Ｗ（透明領域２１の幅Ｙと等しく設定される）は、上記の例に限らず、１〜１０ｍｍ、なかでも２〜６ｍｍに設定することが好ましい。そして、縞模様として見せる色数、すなわち組み合わせる化粧料片（この例では、化粧料片１４〜１６の三色）は、化粧料容器の大きさ等にもよるが、通常、２〜８種類、なかでも３〜５種類程度に設定することが好適である。また、上記透明領域２１のピッチＺは、Ｗ（＝Ｙ）×色数、として求められる。
【００３２】
また、上記縞模様の変化を効果的に見せるには、蓋体１１側に設けられた透明領域２１と、化粧料２０の表面との垂直距離（図３においてＨで示す）も重要である。すなわち、上記垂直距離Ｈが短すぎると、変化に乏しいものとなるおそれがあり、逆に、上記垂直距離Ｈが長すぎると、模様の見え方に奥行きがありすぎて模様の変化を捉えにくくなるおそれがあるからである。そして、垂直距離Ｈが長すぎると、化粧料容器が上下方向に嵩張りすぎることになり、その点においても好ましくない。したがって、上記垂直距離Ｈは、通常、０．１〜２０．０ｍｍに設定することが好適であり、なかでも、目線の角度を変えて模様を変化させる効果をもたせるには、２．０〜７．０ｍｍに設定することがとりわけ好適である。
【００３３】
さらに、蓋体１１の透明領域２１は、上記の例のように、不透明な着色層１８に囲われた帯状領域として形成されるだけでなく、透明な部分と不透明な部分とが交互に並ぶ縞模様において、その不透明な縞と縞の間に挟まれた透明な部分を、透明領域２１として用いてもよい。そして、このような透明領域２１を得るには、透明な蓋体１１の上面の、透明領域２１とする以外の部分に不透明な着色層１８を、印刷や塗装や転写、金属蒸着等によって着色層を形成することができる。また、透明な縞と不透明な縞とが交互に並ぶ縞模様が形成された着色シートを用意し、これを蓋体１１の上面全面に転写もしくは貼付するようにしてもよい。あるいは、蓋体１１の上面全体に不透明な着色層１８を形成しておき、透明領域２１となる部分をレーザ照射等によって除去するようにしてもよい。
【００３４】
そして、上記の例では、容器本体１０に対し蓋体１１を平行にスライド移動させて開閉するタイプの化粧料容器において、その蓋体がスライドする方向と同じ方向に透明領域２１と化粧料２０の縞模様が並ぶように設定したが、蓋体１１がスライドする方向に対し、透明領域２１と化粧料２０の縞模様を、斜めに傾斜させると、一層興趣に富むものとなる。
【００３５】
例えば、基本的な構成は上記の例と同様の化粧料容器において、図４（ａ）に示すように、化粧料２０を構成する三種類の、色の異なる化粧料片３１〜３３（オレンジ、ピンク、クリームイエロー）が、左下から右上に向かって斜め方向に延びた縞模様になっているものを準備する。そして、蓋体１１には、図４（ｂ）に示すように、化粧料２０の斜めの縞模様に合わせて斜めに延びる四つの透明領域２１を形成する。１８は、化粧料片３１と同じオレンジ色の着色層である。
【００３６】
この化粧料容器は、蓋体１１を閉じた状態では、図４（ｃ）に示すように、蓋体１１の透明領域２１に、化粧料２０のうちオレンジ色の化粧料片３１が位置決めされ、着色層１８のオレンジ色と重なって、蓋体１１全体がオレンジ色に見えるようになっている。そして、蓋体１１をスライドさせて開くにしたがって、まず、透明領域２１にオレンジ色の化粧料片３１とピンク色の化粧料片３２とが半分ずつ位置決めされると、図４（ｄ）に示すように、細いピンク色のストライプ模様が現れたかのように見える。つぎに、透明領域２１にピンク色の化粧料片３２が完全に位置決めされると、図５（ａ）に示すように、ピンク色のストライプの幅が太くなったように見える。
【００３７】
そして、透明領域２１に、今度はピンク色の化粧料片３２とクリームイエロー色の化粧料片３３とが半分ずつ位置決めされると、図５（ｂ）に示すように、ストライプの色が黄色味を帯びて変化し、さらに、図５（ｃ）に示すように、完全にクリームイエロー色のストライプとなる。
【００３８】
これらの変化が規則的に繰り返し、しかも縞模様が左右に延びる場合に比べてゆっくりと変化するため、微妙な変化を視認することができ、より印象深い見え方となる。そして、これらの変化は、前記の例と同様、化粧料容器を閉じた状態においても、蓋体１１表面への目線を動かしたり容器自体を動かしたりすることによって、ある程度視認することができ、単なる化粧料容器とは異なる、目新しい印象を与えることができる。
【００３９】
また、上記の例では、色数が三色であるが、デザインによっては、二色であっても大きく変化したかのように見せることができる。例えば、基本的な構成は図４に示す例と同様の化粧料容器において、図６（ａ）に示すように、化粧料２０が、ピンクとオレンジの二色の化粧料片４０、４１によって構成された斜めの縞模様になったものを準備する。そして、蓋体１１には、図６（ｂ）に示すように、化粧料２０の斜めの縞模様に合わせて斜めに延びる四つの透明領域からなり、その全体の輪郭が円形に見える第１の透明領域２１ａと、同じく斜めに延びる四つの透明領域からなり、その全体の輪郭が円形に見える第２の透明領域２１ｂとを形成する。ただし、上記第１の透明領域２１ａと第２の透明領域２１ｂとは、一部重なっており、その下に位置決めされる化粧料２０の縞模様の色が、互いに反対の色になるよう設定されている。１８は、白色の着色層である。
【００４０】
この化粧料容器は、蓋体１１を閉じると、図６（ｃ）に示すように、蓋体１１の第１の透明領域２１ａに、化粧料２０のうちオレンジ色の化粧料片４１が位置決めされ、第２の透明領域２１ｂに、ピンク色の化粧料片４０が位置決めされるようになっている。したがって、この蓋体１１には、白地に、オレンジの円とピンクの円とが一部重なったようなデザインが付与されているように見える。そして、蓋体１１を後方にスライド移動させて少し開くと、まず、図６（ｄ）に示すように、第１の透明領域２１ａと第２の透明領域２１ｂのどちらにも、オレンジ色の化粧料片３１とピンク色の化粧料片３２とが半分ずつ位置決めされて、どちらも同じ色彩の円に見える。ただし、正確には、第１の透明領域２１ａにおける二色の配置と、第２の透明領域２１ｂにおける二色の配置とが、互いに左右反対になっている。
【００４１】
つぎに、蓋体１１をより後方にスライド移動させると、図７（ａ）に示すように、第１の透明領域２１ａにピンク色の化粧料片４０が位置決めされ、第２の透明領域２１ｂにオレンジ色の化粧料片４１が位置決めされる。したがって、当初見えていた二つの円の配色が、全く反対になり、その印象が大きく変化する。そして、さらに蓋体１１を後方にスライド移動させると、図７（ｂ）に示すように、再び、第１の透明領域２１ａと第２の透明領域２１ｂのどちらにも、オレンジ色の化粧料片３１とピンク色の化粧料片３２とが半分ずつ位置決めされて、どちらも同じ色彩の円に見える。ただし、図６（ｄ）の場合と色の配置が逆になっている。そして、図７（ｃ）に示すように、第１の透明領域２１ａにオレンジ色の化粧料片４１が位置決めされ、第２の透明領域２１ｂにピンク色の化粧料片４０が位置決めされて、図７（ａ）において見えていた二つの円の配色が、再び反対になり、その印象が大きく変化する。
【００４２】
このように、上記の例では、化粧料２０が二色だけで構成されているにもかかわらず、蓋体１１に設けられた二つの透明領域２１ａ、２１ｂを通して見える２つの円の色が、蓋体１１の開度、目線の角度、あるいは化粧料容器を手に持った角度等によって様々な色合いに見えるため、アイキャッチ効果が高いものとなる。そして、このものも、化粧料２０の縞模様が、厚み方向に連続的に形成されているため、使用により化粧料２０の表面がすり減っても、上記縞模様が崩れることがなく、その視覚的な効果を、長く楽しむことができる。
【００４３】
また、上記一連の例は、本発明を、容器本体１０に対し蓋体１１を平行にスライド移動させて開閉するタイプの化粧料容器に適用したものであるが、例えば図８（ａ）に示すように、容器本体１０に対して蓋体１１を１点Ｏで回動自在に取り付け、図８（ｂ）に示すように、その１点Ｏを回転軸として矢印Ｑで示すように周方向に回動させて開閉するタイプの化粧料容器に適用することもできる。なお、図において、１３は化粧料用凹部であり、直接化粧料２０を収容するものであっても、化粧料２０を、金皿１７を介して収容するもの（図３参照）であってもよい。そして、蓋体１１の表面に形成する透明領域２１も、帯状等の細長い切欠きとなるものである必要はなく、例えば、その透明部分が、小さい透明窓の集まりであるような、断続的な透明領域２１からなるものであってもよい。
【００４４】
例えば、そのような化粧料容器の一例として、図９（ａ）に示す容器本体１０と、図９（ｂ）に示す蓋体１１とを備えたものをあげることができる。図において、蓋体１１が回動する際の回転軸の中心Ｏを「＋」で示す。
【００４５】
上記容器本体１０は、全体が白色樹脂成形体からなり、その上面に設けられた化粧料用凹部１３内には、図９（ａ）に示すように、回転軸の中心Ｏから放射状に延びる筋状の、オレンジ色の化粧料片５０と、ピンク色の化粧料片５１とが、交互に並んだ状態で収容されている。また、その上面を蓋する蓋体１１の上面には、図９（ｂ）に示すように、その略全面に白色の着色層１８が形成されているとともに、回転軸の中心Ｏから放射状に延びる、不揃いの小さな円形が筋状に集合したデザインの、五つの透明領域２１が形成されている。
【００４６】
そして、上記蓋体１１が容器本体１０の上面を完全に閉じた状態では、図９（ｃ）に示すように、五つの透明領域２１のうち、内側の三つの透明領域２１に、ピンク色の化粧料片５０が位置決めされて、ピンク色の筋模様となり、他の透明領域２１には、容器本体１０の上面（白色）が重なって、この部分には模様がないように見える。したがって、この蓋体１１には、ピンク色の水玉模様が筋状に延びるデザインが付与されているように見える。
【００４７】
つぎに、蓋体１１をわずかに回動させると、図９（ｄ）に示すように、主として内側の二つの透明領域２１に、ピンク色の化粧料片５０とオレンジ色の化粧料片５１とが半分ずつ位置決めされて、二色が混じり合った筋模様となる。そして、さらに、蓋体１１を回動させると、図９（ｅ）に示すように、内側の二つの透明領域２１と、向かって右端の透明領域２１の一部に、オレンジ色の化粧料片５１が位置決めされ、他の透明領域２１には、主として容器本体１１の上面（白色）が重なるため、ピンク色の水玉模様が、あたかもオレンジ色の水玉模様に変化したかのように見えるようになっている。
【００４８】
つぎに、蓋体をさらに回動させると、図９（ｆ）に示すように、下側の三つの透明領域２１に、ピンク色の化粧料片５０とオレンジ色の化粧料片５１とが半分ずつ位置決めされて、二色が混じり合った筋模様となる。そして、さらに蓋体１１を回動させると、図１０（ａ）に示すように、上記三つの透明領域２１に、ピンク色の化粧料片５０が位置決めされ、他の透明領域２１には、主として容器本体１１の上面（白色）が重なるため、オレンジ色の水玉模様が、あたかもピンク色の水玉模様に変化したかのように見えるようになっている。
【００４９】
そして、さらに蓋体１１を回動させると、図１０（ｂ）、（ｃ）に示すように、下側の二つの透明領域２１に、ピンク色の化粧料片５０とオレンジ色の化粧料片５１とが半分ずつ位置決めされた状態を経由して、その透明領域２１に、オレンジ色の化粧料５１が位置決めされた状態となるため、再び、ピンク色の水玉模様が、あたかもオレンジ色の水玉模様に変化したかのように見えるようになっている。
【００５０】
これらの変化によって、化粧料２０がピンク色とオレンジ色の二色だけで構成されているにもかかわらず、蓋体１１上のデザイン模様として見える筋状の水玉模様が、つぎつぎと色が変わるように見えるため、アイキャッチ効果が高いものとなる。そして、この変化は、化粧料２０を繰り返し使用して化粧料２０がすり減っても、蓋体１１を回動すれば、いつでも見ることができるため、長期間、この変化を楽しむことができる。
【００５１】
また、化粧料２０の色模様のデザインと、これを断続的に見せる蓋体１１側の透明領域２１の形状および配置を工夫することにより、色が、上記のように段階的に変化するのではなく、一気に変化するかのように見せることもできる。そのような例として、例えば、上記の例と同様、全体が白色樹脂成形体からなる容器本体１０において、その化粧料用凹部１３内に収容された化粧料２０の色模様が、図１１（ａ）に示すように構成され、蓋体１１側の透明領域２１が、図１１（ｂ）に示すように構成されたものをあげることができる。
【００５２】
すなわち、この例では、化粧料２０の色模様が、図１１（ａ）に示すように、回転軸の中心Ｏから放射状に延びる複数の直線と、同じく上記Ｏを中心として同心円状に延びる複数の円弧とで区切られた、湾曲して見える格子状の各区画内に、オレンジ色の化粧料片５５と、クリームイエロー色の化粧料片５６と、ピンク色の化粧料片５７とが、互いの色が重ならないよう交互に並んだ状態で収容されている。したがって、この三色の化粧料片５５〜５７からなる化粧料２０は、略四角形状の色のブロックが交互に並んだような、カラフルな色模様になっている。また、これを蓋する蓋体１１の上面には、図１１（ｂ）に示すように、その略全面に白色の着色層１８が形成されているとともに、大小様々な大きさの円形がランダムに並んだデザインの透明領域２１が形成されている。
【００５３】
そして、上記蓋体１１が容器本体１０の上面を完全に閉じた状態では、図１１（ｃ）に示すように、透明領域２１のうち、比較的大きな円形の透明領域２１の大半に、オレンジ色の化粧料片５５が位置決めされて、オレンジ色の水玉模様となり、他の透明領域２１には、容器本体１０の上面（白色）が重なって、この部分には模様がないように見える。
【００５４】
つぎに、蓋体１１をわずかに回動させると、図１２（ａ）に示すように、透明領域２１のうち、先程とやや異なる配置で、比較的大きな円形の透明領域２１の大半に、クリームイエロー色の化粧料片５６が位置決めされて、クリームイエロー色の水玉模様となり、他の透明領域２１には、容器本体１０の上面（白色）から重なって、この部分には模様がないように見える。したがって、蓋体１１の上面のデザインが、白地にオレンジ色の水玉模様から、突然、白地にクリームイエロー色の水玉模様に変化したように見えて、強いインパクトを与える。
【００５５】
そして、さらに、蓋体１１を回動させていくと、図１２（ｂ）〜（ｄ）に示すように、比較的大きな円形の透明領域２１の大半の部分から見える色が、ピンク（化粧料片５７の色）→オレンジ（化粧料片５５の色）→クリームイエロー（化粧料片５６の色）、とつぎつぎと変化していく。また、色が表れる部分の位置も少しずつ変化するため、全体として、蓋体１１のデザインが大きく変化するような印象を与えることができる。
【００５６】
このように、上記化粧料容器は、蓋体１１の回動に伴い、蓋体１１上のデザイン模様として見える水玉模様の色が、つぎつぎと異なる色に変化するとともに、その配置が移動してみえるため、水玉が動きながら色を変えていくように見えて、非常にアイキャッチ効果が高いものとなる。そして、上記化粧料２０の色模様は、金太郎飴のように、厚み方向に連続的に形成されているため、化粧料２０を繰り返し使用して化粧料２０がすり減っても、蓋体１１を回動すれば、いつでも上記の色模様の変化を見ることができるため、長期間、この視覚的な効果を楽しむことができる。
【００５７】
なお、上記一連の例において、化粧料２０によって与えられる色模様は、縞模様や、湾曲した格子状、といった幾何学的な模様であったが、これを構成する複数の化粧料片が、化粧料用凹部１３もしくは金皿１７内に、互いに垂直な境界面を介して隣り合うように収容されており、その表面に表れる色模様が、蓋体１１側の透明領域２１との関連において、複数の模様パターンに変化するものであれば、幾何学的な模様に限らず、自由にデザインすることができる。
【００５８】
例えば、上記一連の例と同様、１点Ｏを回転軸として蓋体１１が周方向に回動自在に取り付けられたタイプの化粧料容器において、図１３（ａ）に示すような化粧料２０が収容された容器本体１０と、図１３（ｂ）に示すような上面構成の蓋体１１とを組み合わせたものを用いることができる。
【００５９】
上記容器本体１０は、全体が白色樹脂成形体からなり、図１３（ａ）に示すように、その化粧料用凹部１３内に、白色の化粧料片５８と赤色の化粧料片５９とを組み合わせた化粧料２０が、白地に赤いハートがたくさん散ったようなデザインで収容されている。また、蓋体１１は、透明樹脂成形体からなり、図１３（ｂ）に示すように、その上面に白色の着色層１８が形成され、その着色層１８の領域内に、ランダムにアルファベットの文字が散らばったように見えるたくさんの透明領域２１が設けられている。そして、透明領域２１からなるアルファベットの文字とは別に、着色層１８と重なるランダムな配置で、黄色や青、黄緑、緑といった寒色系の色に着色されたアルファベットの文字７０が印刷されている。
【００６０】
そして、上記蓋体１１が容器本体１０の上面を完全に閉じた状態では、図１４（ａ）に示すように、蓋体１１側の透明領域２１を通して、内側の化粧料２０の白い部分（白色の化粧料片５８）や赤い部分（赤色の化粧料片５９）が見えるものの、その見え方は、混沌として意味をなさないものになっている。
【００６１】
つぎに、蓋体１１を回動させていくと、赤い部分が見える透明領域２１の位置が少しずつ移っていくものの、混沌とした見え方が続く。そして、上記蓋体１１の右下の角１１ａが、容器本体１０の輪郭の一辺に重なる位置まで回動した時点で、図１４（ｂ）に示すように、透明領域２１のうち、「Ｉ  ＬＯＶＥ  ＹＯＵ」の８文字（図において丸囲いで示す）だけが完全に赤色になり、周囲の寒色系の文字７０から目立って見えるようになる。そして、この位置からさらに蓋体１１を回動させると、再び、赤い部分が見える透明領域２１の位置が少しずつ移動し、混沌とした見え方になる。上記化粧料２０の赤色と白色からなる色模様は、金太郎飴のように厚み方向に連続して形成されているため、使用により化粧料２０がすり減っても、色模様が崩れることがなく、上記の視覚的な効果を長く楽しむことができる。
【００６２】
したがって、化粧料２０が幾何学的な模様でなくても、上記の例のように、蓋体１１を所定の位置に配置させるだけで、他の位置にあるときと全く異なる印象の模様（上記の例では特定の文字群）に変化したように見せることができ、興趣に富むものとなる。このような変化も、本発明の「色模様の規則的な変化」の一つである。
【００６３】
上記一連の例は、化粧料２０が平面視正方形の金皿１７もしくは化粧料用凹部１３に収容されているが、化粧料２０を収容する凹部の平面視形状は、どのような形状であってもよい。例えば、図１５（ａ）、（ｂ）に示すように、容器本体１０に対して蓋体１１を１点Ｏで回動自在に取り付けた、平面視しずく状の化粧料容器において、化粧料２０が、平面視円形の凹部内に収容されたものであってもよい。なお、図において、１３は化粧料用凹部であり、直接化粧料２０を収容するものであっても、化粧料２０を、金皿１７を介して収容するもの（図３参照）であってもよい。
【００６４】
例えば、そのような化粧料容器の一例として、図１６（ａ）に示す容器本体１０と、図１６（ｂ）に示す蓋体１１とを備えたものをあげることができる。図において、蓋体１１が回動する際の回転軸の中心Ｏを「＋」で示す。
【００６５】
上記容器本体１０は、全体が白色樹脂成形体からなり、その上面に設けられた化粧料用凹部１３内には、図１６（ａ）に示すように、回転軸の中心Ｏから放射状に延びる複数の直線と、同じく上記Ｏを中心として同心円状に延びる複数の円弧とで区切られた、湾曲して見える格子状の各区画内に、オレンジ色の化粧料片６０と、ピンク色の化粧料片６１と、クリームイエロー色の化粧料片６２とが、互いの色が重ならないよう交互に並んだ状態で収容されている。したがって、この三色の化粧料片６０〜６２からなる化粧料２０の表面は、略四角形状の色のブロックが交互に並んだような、カラフルな色模様になっている。また、これを蓋する蓋体１１の上面には、図１６（ｂ）に示すように、白色の着色層１８と、回転軸の中心Ｏから放射状に延びる、四本の透明領域２１とが形成されている。
【００６６】
そして、上記蓋体１１が容器本体１０の上面を完全に閉じた状態では、図１６（ｃ）に示すように、四つの透明領域２１に、内側の色模様のうち、オレンジ色の化粧料片６０とクリームイエロー色の化粧料片６２のみが位置決めされて見え、ピンク色の化粧料片６１は見えないため、蓋体１１には、オレンジの円弧状の縞とクリームイエローの円弧状の縞とが交互に並ぶ縞模様のデザインが付与されているように見える。
【００６７】
つぎに、蓋体１１をわずかに回動させると、図１６（ｄ）に示すように、上記透明領域２１に、オレンジ、ピンク、クリームイエローの三色の化粧料片６０〜６２が交互に並んだ部分が位置決めされるため、全体がモザイク模様のように見えて、その印象ががらりと変わる。そして、さらに、蓋体１１を回動させると、図１６（ｅ）に示すように、上記透明領域２１に、ピンク色の化粧料片６１とクリームイエロー色の化粧料片６２のみが位置決めされて見え、オレンジ色の化粧料片６０は見えないため、蓋体１１には、ピンクの円弧状の縞とクリームイエロー色の円弧状の縞とが交互に並ぶ縞模様のデザインが付与されているように見える。
【００６８】
つぎに、蓋体１１をさらに回動させると、図１７（ａ）に示すように、上記透明領域２１に、オレンジ色、ピンク色、クリームイエロー色の三色の化粧料片６０〜６２が交互に並んだ部分が位置決めされるため、色模様が縞模様からモザイク模様に変化して、その印象ががらりと変化する。そして、さらに蓋体１１を回動させると、図１７（ｂ）に示すように、上記透明領域２１に、再びオレンジ色の化粧料片６０とクリームイエロー色の化粧料片６２とのみが位置決めされて見え、ピンク色の化粧料片６１は見えないため、蓋体１１には、オレンジの円弧状の縞とクリームイエローの円弧状の縞とが交互に並ぶ縞模様のデザインが付与されているように見える。
【００６９】
そして、さらに蓋体１１を回動させると、図１７（ｃ）〜（ｅ）に示すように、上記透明領域２１に、オレンジ、ピンク、クリームイエローの三色の化粧料片６０〜６２が交互に並んだ部分が位置決めされた状態を経由して、その透明領域２１に、再びピンク色の化粧料片６１とクリームイエロー色の化粧料片６２とが位置決めされて見え、オレンジ色の化粧料片６０は見えない状態となるため、再び、ピンクとクリームイエローの縞模様が現出したかのように見える。そして、さらに蓋体１１を回動させると、前記図１６（ｄ）に示す場合と同様、透明領域２１に、上記三色の化粧料片６０〜６２が交互に並んだ部分が位置決めされた状態となる。
【００７０】
したがって、上記化粧料容器によれば、蓋体１１の透明領域２１から見える化粧料２０表面の色模様が、オレンジとクリームイエローの縞模様→三色のモザイク模様→ピンクとクリームイエローの縞模様→三色のモザイク模様、と順次変化していくように見えるため、アイキャッチ効果が高いものとなる。そして、化粧料２０を繰り返し使用して化粧料２０がすり減っても、上記化粧料２０の表面における色模様は、そのまま維持されるため、長期にわたって、この変化を楽しむことができる。
【００７１】
また、他の例として、例えば、図１８（ａ）に示すような化粧料２０の色模様に対し、図１８（ｂ）に示すような、茶色の着色層１８が格子状に形成され、その格子の間に正方形の透明領域２１が縦横に並んだ構成の蓋体１１を組み合わせたものをあげることができる。なお、上記化粧料２０の色模様は、平面視正方形状の、互いに色の異なる四色の化粧料片８０〜８３を交互に並べたモザイク模様であり、各化粧料片８０等の正方形が、上記蓋体１１の透明領域２１の正方形と一致する大きさに設定されている。
【００７２】
この構成によれば、蓋体１１側の透明領域２１と、化粧料２０の色模様との相対的な配置によって、見える色が大きく変化するようになっている。すなわち、上記蓋体１１の正面からこの色模様を透かしてみると、それぞれの透明領域２１から、四つの色が１／４ずつ見えて、複雑な色模様に見え、蓋体１１を左上から見ると、第１の化粧料片８０の色（例えば黄色）のみが見える。また、蓋体１１を左下から見ると、第２の化粧料片８１の色（例えば赤色）のみが見え、同じく右上から見ると、第３の化粧料片８２の色（例えば緑色）のみが見える。そして、蓋体１１を右下から見ると、第４の化粧料片８３の色（例えば青色）のみが見える。したがって、このような化粧料容器も、非常に興趣に富むものとなる。そして、上記化粧料２０の色模様も、厚み方向に連続して形成されているため、化粧料２０がすり減っても、上記色模様はそのまま維持されるのであり、長期にわたって、上記色の変化を楽しむことができる。
【００７３】
このように、本発明において、化粧料容器の形状や、化粧料２０を収容する金皿１７や容器本体１０の化粧料用凹部１３の平面視形状は、自由に設定することができる。そして、これらの凹部内に収容する化粧料２０の色数や各化粧料片１４〜１６等による色模様のデザインは、蓋体１１側の透明領域２１との関連において、透明領域２１への目線の変化、あるいは蓋体１１の移動による透明領域２１のスライド幅（軸回転によってスライドするものにあっては、そのスライドによる回転角度）に応じて、その変化に段階的に対応する模様パターンが見えるように、その各模様パターンを、同一表面に、重ねて配置したデザインにすることが好ましい。また、図１等に示す化粧料容器のように、蓋体１１を平行にスライドさせて視覚的な効果を得る場合、化粧小物の収容部を容器手前側に設ける等の構成により、容器がスライド方向に長くなっていると、蓋体１１のスライド距離が長くなって、その視覚的な効果を長く見せることができ、好適である。
【００７４】
なお、上記一連の例では、透明領域２１を、透明な樹脂成形体からなる蓋体１１の上面に設けられた不透明な着色層１８に囲われた部分（もしくは挟まれた部分）として形成したが、上記着色層１８は、必ずしも蓋体１１の上面に設ける必要はなく、場合によっては蓋体１１の下面、すなわち容器本体１０の上面と対峙する側の面に設けてもよい。ただし、その場合も、上記着色層１８の形成面（すなわち透明領域２１の形成面）と、化粧料２０の上面との垂直距離Ｈ（図３を参照）は、前述のとおり、０．１〜２０．０ｍｍに設定することが好適であり、なかでも、２．０〜７．０ｍｍに設定することが最適である。
【００７５】
さらに、これらの例は、蓋体１１を前後にスライドさせたり１点を中心として周方向に回動させたりする化粧料容器に適用したものであるが、例えば蓋体１１を前後にスライドさせて、蓋体１１の透明領域２１から見える化粧料２０の色模様の変化を楽しむことができるものは、すでに述べたように、化粧料容器が閉じた状態で、この容器の蓋体１１に対する目線の角度を変えるだけで、蓋体１１をスライドさせた場合と同様の、色の変化を認識することができる。したがって、本発明は、必ずしもスライドタイプの化粧料容器に限定する必要はなく、後端部に設けられたヒンジ連結によって蓋体が前後に開くコンパクトタイプの化粧料容器や、広口容器等において、ねじ係合によって蓋体を開閉するものに適用しても差し支えない。
【００７６】
また、本発明において、蓋体１１の透明領域２１となる部分の表面や裏面に凹凸を形成するようにしてもよい。凹凸の形成によって、その部分を透かして見える模様が、より複雑な見え方をして、より興趣に富む視覚的な効果が得られるからである。
【００７７】
さらに、本発明において、容器本体１０の色と、蓋体１１に設けられる不透明部分の色とを、同じ色に揃えると、透明領域２１を透かし模様を通して見える模様部分が、周囲から視覚的に限定され、際立った形で見えるため、印象が強いものとなって好適である。
【００７８】
そして、本発明において、色模様を形成するための化粧料２０としては、ファンデーションやフェイスカラー等、粉末タイプであるか、容器への充填温度で溶融して流動性を有し冷却によって固化する油性化粧料であることが好適である。
【産業上の利用可能性】
【００７９】
本発明は、蓋体を閉じた状態でその蓋体表面に対する目線の角度を変えるか、上記蓋体を容器本体の上面からスライドさせることにより、蓋体に設けられた透明領域を通して見える化粧料表面の色模様が、規則的に変化して見える、斬新な化粧料容器の提供に利用することができる。
【符号の説明】
【００８０】
１０  容器本体
１１  蓋体
１３  化粧料用凹部
１４〜１６  化粧料片
２０  化粧料
２１  透明領域
【図１】
2015188627.tif 000003
【図２】
2015188627.tif 000004
【図３】
2015188627.tif 000005
【図４】
2015188627.tif 000006
【図５】
2015188627.tif 000007
【図６】
2015188627.tif 000008
【図７】
2015188627.tif 000009
【図８】
2015188627.tif 000010
【図９】
2015188627.tif 000011
【図１０】
2015188627.tif 000012
【図１１】
2015188627.tif 000013
【図１２】
2015188627.tif 000014
【図１３】
2015188627.tif 000015
【図１４】
2015188627.tif 000016
【図１５】
2015188627.tif 000017
【図１６】
2015188627.tif 000018
【図１７】
2015188627.tif 000019
【図１８】
2015188627.tif 000020
【図１９】
2015188627.tif 000021